(57)【要約】【課題】プラグをコンセントから無理なく引き抜くことができることは勿論のこと、製造が容易で、取り扱いやすい簡単な構造のプラグ外し補助具を提供することを目的としている。【解決手段】柔軟性を有する合成樹脂製の環状の帯状体からなり、プラグ本体の先端面に突出するプラグ端子を挿通可能な２個のプラグ端子挿通孔が設けられているとともに、プラグ本体を挿通可能な切り込みが、帯状体の周方向に沿って形成されており、前記切り込みが、前記プラグ端子挿通孔と対向する位置に設けられている。【選択図】図２
0003123569.tif 000002
【実用新案登録請求の範囲】
【請求項１】
柔軟性を有する合成樹脂製の環状の帯状体からなり、プラグ本体の先端面に突出するプラグ端子を挿通可能な２個の細長いプラグ端子挿通孔が設けられているとともに、プラグ本体を挿通可能な切り込みが、帯状体の周方向に沿って形成されており、前記切り込みが、前記プラグ端子挿通孔と対向する位置に設けられていることを特徴とするプラグ外し補助具。
【請求項２】
帯状体が、ポリ塩化ビニル樹脂製で、幅１５ｍｍ〜１９ｍｍ、厚さ０．５５ｍｍ〜０．８５ｍｍ、周方向長さ１５５ｍｍ〜１９０ｍｍ、切り込み長さ５４ｍｍ〜８０ｍｍで形成されており、プラグ端子挿通孔が、孔の長手方向が帯状体の周方向に直交するように設けられていることを特徴とする請求項１記載のプラグ外し補助具。
【請求項３】
帯状体が、ポリ塩化ビニル樹脂製で、幅２１ｍｍ〜２５ｍｍ、厚さ０．５５ｍｍ〜０．８５ｍｍ、周方向長さ１５５ｍｍ〜１９０ｍｍ、切り込み長さ５４ｍｍ〜８０ｍｍで形成されており、プラグ端子挿通孔が、孔の長手方向が帯状体の周方向に沿うように設けられていることを特徴とする請求項１記載のプラグ外し補助具。
【考案の詳細な説明】
【技術分野】
【０００１】
本考案は、コンセントからプラグを外す操作を容易にするプラグ外し補助具に関する。
【背景技術】
【０００２】
本願考案者は、コンセントからプラグを引き抜く操作を容易にするためのプラグ外し補助具として、プラグ本体の先端面と上下面とに当接する側面視略コ字状のプラグ本体係止部と、このプラグ本体係止部の後端部同士を連結するように環状に形成された左右一対の指掛け部を形成してなるものや、プラグ本体の先端面を係止するプラグ本体係止部と、このプラグ本体係止部の左右両側から延出する延出部とを備え、延出部の遊端部同士を連結して指掛け部を形成したものを既に提案している（例えば、特許文献１参照）。
上記のプラグ外し補助具は、指掛け部に指を掛けて引き抜き方向に引っ張るだけで、プラグをコンセントから無理なく引き抜くことができる。
【特許文献１】特開２００４−３２７１９２号公報
【考案の開示】
【考案が解決しようとする課題】
【０００３】
しかしながら、前者のプラグ外し補助具は、プラグ本体係止部が側面視コ字状に形成されているとともに、左右一対の環状の指掛け部が形成されているなど、構造が複雑であるため、製造しにくい上、取り扱いが不便である。一方、後者のプラグ外し補助具は、プラグ本体に取り付けたときに、指掛け部を回避するように、プラグ本体から延出する電源コードを屈曲させる必要がある。そのため、電源コードに無理な力がかかり、断線の恐れがある。
本考案は、上記問題点に鑑み考案されたものであって、プラグをコンセントから無理なく引き抜くことができることは勿論のこと、製造が容易で、取り扱いやすい簡単な構造のプラグ外し補助具を提供することを目的としている。
【課題を解決するための手段】
【０００４】
上記課題を解決するために、本考案は、柔軟性を有する合成樹脂製の環状の帯状体からなり、プラグ本体の先端面に突出するプラグ端子を挿通可能な２個のプラグ端子挿通孔が設けられているとともに、プラグ本体を挿通可能な切り込みが、帯状体の周方向に沿って形成されており、前記切り込みが、前記プラグ端子挿通孔と対向する位置に設けられていることを特徴とするものである。
【０００５】
また、帯状体が、帯状体が、ポリ塩化ビニル樹脂製で、幅１５ｍｍ〜１９ｍｍ、厚さ０．５５ｍｍ〜０．８５ｍｍ、周方向長さ１５５ｍｍ〜１９０ｍｍ、切り込み長さ５４ｍｍ〜８０ｍｍで形成されており、プラグ端子挿通孔が、孔の長手方向が帯状体の周方向に直交するように設けられていてもよい。
【０００６】
また、帯状体が、ポリ塩化ビニル樹脂製で、幅２１ｍｍ〜２５ｍｍ、厚さ０．５５ｍｍ〜０．８５ｍｍ、周方向長さ１５５ｍｍ〜１９０ｍｍ、切り込み長さ５４ｍｍ〜８０ｍｍで形成されており、プラグ端子挿通孔が、孔の長手方向が帯状体の周方向に沿うように設けられていてもよい。
【考案の効果】
【０００７】
本考案によれば、柔軟性を有する合成樹脂製の環状の帯状体にプラグ端子挿通孔と切り込みとを設けてなる簡単な構造であるので、製造が容易である上、取り扱いやすい。また、切り込みにプラグ本体を挿通させ、切り込みと対向する位置に設けられているプラグ端子挿通孔に向かって、プラグ本体を一方向に引き出した後、プラグ端子挿通孔にプラグ端子を挿通させるだけで、プラグ外し補助具をプラグに簡単に装着することができる。また、プラグ本体の後部の電源コードは、プラグ本体とともに切り込みに挿通されて一方向に引き出されるため、電源コードが折り曲がりにくい。したがって、電源コードの断線を効果的に防止できる。
【０００８】
また、本考案のプラグ外し補助具において、帯状体が、ポリ塩化ビニル樹脂製で、幅１５ｍｍ〜１９ｍｍ、厚さ０．５５ｍｍ〜０．８５ｍｍ、周方向長さ１５５ｍｍ〜１９０ｍｍ、切り込み長さ５４ｍｍ〜８０ｍｍで形成されており、プラグ端子挿通孔が、孔の長手方向が帯状体の周方向に直交するように設けられているものでは、帯状体の幅方向長さを上記所定の範囲とし、プラグ端子挿通孔を上記の配置方向にするだけで、帯状体の周方向がプラグ端子の配列方向に平行となるように、プラグ外し補助具をプラグに装着することができる。また、帯状体の各寸法が、上記寸法の範囲であるので、標準的な大きさのプラグよりも大型のプラグ、例えば、コタツ用のプラグなどにも取り付けることができ、汎用性に優れる。
【０００９】
また、本考案のプラグ外し補助具において、帯状体が、ポリ塩化ビニル樹脂製で、幅２１ｍｍ〜２５ｍｍ、厚さ０．５５ｍｍ〜０．８５ｍｍ、周方向長さ１５５ｍｍ〜１９０ｍｍ、切り込み長さ５４ｍｍ〜８０ｍｍで形成されており、プラグ端子挿通孔が、孔の長手方向が帯状体の周方向に沿うように設けられているものでは、帯状体の幅方向長さを上記所定の範囲とし、プラグ端子挿通孔を上記の配置方向にするだけで、帯状体の周方向が、プラグ端子の配列方向に直交するように、プラグ外し補助具をプラグに装着することができる。また、帯状体の各寸法が、上記寸法の範囲であるので、標準的な大きさのプラグよりも大型のプラグ、例えばコタツ用のプラグなどにも取り付けることができ、汎用性に優れる。
【考案を実施するための最良の形態】
【００１０】
以下、本考案にかかるプラグ外し補助具の一実施形態について、図面に基づいて説明する。本実施形態のプラグ外し補助具１ａは、図１、図２に示すように、環状の帯状体２ａと、この帯状体２ａの厚さ方向に貫通する２個のプラグ端子挿通孔３ａ，３ａと、このプラグ端子挿通孔３ａ，３ａと対向する位置に設けられている切り込み４とから構成されている。
【００１１】
帯状体２ａは、柔軟性を有するポリ塩化ビニル樹脂製で、幅１７ｍｍ、厚さ０．７ｍｍ、周方向長さ１６３ｍｍに形成されている。
プラグ端子挿通孔３ａ，３ａは、プラグ本体Ｐ２の先端面Ｐ３に突出するプラグ端子Ｐ４，Ｐ４を挿通可能な幅２ｍｍ、長さ６ｍｍの長孔で、孔の長さ方向が帯状体２ａの幅方向に対して垂直に配設されている。また、プラグ端子挿通孔３ａ，３ａのピッチは１３ｍｍとなっている。
切り込み４は、帯状体２ａの幅方向中央部分に帯状体２ａの周方向に沿って形成されており、切り込み長さは６８ｍｍとなっている。
【００１２】
上記プラグ外し補助具１ａは、例えば、以下のようにして製造される。すなわち、内径５２ｍｍ、厚さ０．７ｍｍの柔軟性を有するポリ塩化ビニル樹脂製の管状体を幅１７ｍｍに切断して帯状体２ａを形成した後、帯状体２ａをコンセントと同形状の孔を備えた基台の上に設置し、80℃〜100℃に加熱されたプラグ端子と同形状の治具を帯状体２ａの厚さ方向に貫通させることにより、帯状体２ａにおける治具当接部分を溶かしてプラグ端子挿通孔３ａ，３ａを形成する。
そして、プラグ端子挿通孔３ａ，３ａと対向する位置に切り込み４を形成した後、プラグ端子挿通孔３ａ，３ａの周囲に形成されたバリ状の突出部分が帯状体２ａの外面側となるように、帯状体２ａの表裏を返す。そして、前記バリ状の突出部分を切り揃えて、防塵部５を形成する。
【００１３】
上記プラグ外し補助具１ａの使用手順としては、図２に示すように、切り込み４にプラグＰを挿通した後、切り込み４と対向する位置に設けられているプラグ端子挿通孔３ａ，３ａに向かって、プラグＰを一方向に引き出した後、プラグ本体Ｐ２の先端面Ｐ３に突出するプラグ端子Ｐ４，Ｐ４をその根元部分までプラグ端子挿通孔３ａ，３ａに挿通させ、帯状体２ａの裏面をプラグ本体Ｐ２の先端面Ｐ３に当接させる。
【００１４】
そして、プラグ外し補助具１ａを装着したプラグＰをコンセント（図示せず）に差し込むと、プラグ端子Ｐ４，Ｐ４の根元部分が防塵部５で覆われた状態で、帯状体２ａにおけるプラグ端子挿通孔３ａ，３ａの近傍部分がプラグ本体Ｐ２とコンセントとの間に配置されるのである。
【００１５】
プラグ外し補助具１ａを用いてプラグＰをコンセントから引き抜く際には、帯状体２ａにおける切り込み４が形成されている部分に指を掛けて、プラグ外し補助具１ａを引き抜き方向に引っ張る。すると、引き抜き方向への力が、プラグＰの先端面Ｐ３全体に均等にかかり、コンセントからプラグＰを容易に引き抜くことができる。
【００１６】
以上詳述したように、本実施形態のプラグ外し補助具１ａによれば、帯状体２ａの切り込み４内にプラグＰを挿通させ、切り込み４と対向する位置に設けられているプラグ端子挿通孔３ａ，３ａに向かって、プラグＰを一方向に引き出した後、プラグ端子挿通孔３ａ，３ａにプラグ端子Ｐ４，Ｐ４を挿通させるだけで、プラグ外し補助具１ａをプラグＰに簡単に装着することができる。
【００１７】
また、プラグ外し補助具１ａをプラグＰに装着すると、図２に示すように、プラグ本体Ｐ２の後部から延出する電源コードＰ５が、切り込み４内に支持されるため、電源コードＰ５が屈曲しにくく、断線を効果的に防止できる。
【００１８】
さらに、帯状体２ａの周方向長さが、プラグ外し補助具１ａをプラグＰに装着したときに、プラグ本体Ｐ２と帯状体２ａとの間に複数の指を入れることが可能な長さとなっているので、帯状体２ａに指を引っ掛けやすい。また、帯状体２ａが環状に形成されているので、プラグ本体Ｐ２を指でつまんで強い力で引っ張らなくても、帯状体２ｓの後部に複数の指を掛けて引っ張るだけで、コンセントからプラグＰを容易に引き抜くことができる。
【００１９】
また、本実施形態のプラグ外し補助具１ａは、環状の帯状体２ａにプラグ端子挿通孔３ａ，３ａと切り込み４とを設けた簡単な構造であるので、製造が容易であり、大量生産しやすい上、取り扱いも容易である。
【００２０】
さらに、プラグ端子挿通孔３ａ，３ａを形成するときに生じたバリを切り揃えるだけで防塵部５を形成することができるので、防塵部５を容易に形成できる、そして、防塵部５がプラグ端子の根元部分を覆うので、プラグ端子に埃が付着してトラッキング現象が生じるのを効果的に防止することができる。
【００２１】
また、帯状体２ａが柔軟性を有するポリ塩化ビニル樹脂製であるので、プラグＰに装着しやすい上、帯状体２ａに指を掛けたときに、指にフィットしやすい。また、外部からの衝撃に対して柔軟に変形可能であり、足先などをぶつけても怪我をすることがない。
【００２２】
なお、本考案は、上記プラグ外し補助具１ａに限られず、例えば、図３に示すプラグ外し補助具１ｂのように、帯状体２ｂが、幅２５ｍｍに形成され、プラグ端子挿通孔３ｂ，３ｂが、その孔の長さ方向が帯状体２ｂの幅方向に対して平行に配設されているものでもよい。ここで、プラグ外し補助具１ｂは、帯状体２ｂの幅方向長さおよびプラグ端子挿通孔３ｂ，３ｂの配設方向以外は、プラグ外し補助具１ａと同様の構成であるので、同一符号を付して詳細な説明を省略する。
プラグ外し補助具１ｂによれば、帯状体２ｂの周方向がプラグ端子Ｐ４，Ｐ４の配列方向に垂直となるように、帯状体２ｂをプラグＰに装着することができる。
【００２３】
また、帯状体２ａ，２ｂは、柔軟性、絶縁性、耐熱性、難燃性を有する材質で形成されていれば、特に限定されないが、柔軟性に優れたポリ塩化ビニル樹脂が好適である。
【図面の簡単な説明】
【００２４】
【図１】本考案にかかる一実施形態のプラグ外し補助具１ａを示した斜視図である。
【図２】図１に示したプラグ外し補助具１ａの使用状態を示した斜視図である。
【図３】本考案にかかる他の実施形態のプラグ外し補助具１ｂを示した斜視図である。
【符号の説明】
【００２５】
１ａ，１ｂ  プラグ外し補助具
２ａ，２ｂ  帯状体
３ａ，３ｂ  プラグ端子挿通孔
４          切り込み
Ｐ２        プラグ本体
Ｐ３        プラグ本体の先端面
Ｐ４        プラグ端子
【図１】
0003123569.tif 000003
【図２】
0003123569.tif 000004
【図３】
0003123569.tif 000005